(57)【要約】      （修正有）【課題】  通常の再生中においても特殊再生を実行することができる情報記録再生装置を提供する。【解決手段】  制御部は、プログラム再生あるいはランダム再生のコマンドが選択指示されたかどうかを判断する（ステップＳ１）。選択された場合には、光ディスクであるＣＤの管理情報として内周側に記憶されたリードイン領域のＴＯＣ（Table of Contents）情報を参照する（ステップＳ２）。これによりＣＤのデータ領域に格納されたデータの識別番号（トラック番号）を取得する。そして、制御部は、記憶部に格納されたプログラム設定画面を表示部に表示する（ステップＳ３）。そして、制御部は、ユーザがプログラム再生あるいはランダム再生設定の選択をするかどうかを判断する（ステップＳ４）。そして、選択指示に応じて通常の再生からプログラム再生あるいはランダム再生を実行する（ステップＳ５）。【選択図】        図２
2007080457.tif 000002
【特許請求の範囲】
【請求項１】
情報記録媒体に記憶されたデータを再生する再生手段と、
装置全体を制御する制御部とを備え、
前記制御部は、前記データを再生することを求めるコマンド指示に応答して前記再生手段を用いて前記情報記録媒体に記憶されたデータを再生し、再生中に前記データを特殊再生することを求めるコマンド指示の入力がある場合には、再生の停止を求めるコマンド指示の入力無しに前記情報記録媒体に記憶されたデータを特殊再生に切換えて再生し、
前記特殊再生は、プログラム再生あるいはランダム再生のいずれか一方であり、
前記情報記録媒体は、ＣＤ（Compact Disc）であり、
前記制御部は、前記特殊再生をすることを求めるコマンド指示の入力を受けて前記情報記録媒体からＴＯＣ情報を取得する、情報記録再生装置。
【請求項２】
情報記録媒体に記憶されたデータを再生する再生手段と、
装置全体を制御する制御部とを備え、
前記制御部は、前記データを再生することを求めるコマンド指示に応答して前記再生手段を用いて前記情報記録媒体に記憶されたデータを再生し、再生中に前記データを特殊再生することを求めるコマンド指示の入力がある場合には、再生の停止を求めるコマンド指示の入力無しに前記情報記録媒体に記憶されたデータを特殊再生に切換えて再生する、情報記録再生装置。
【請求項３】
前記特殊再生は、プログラム再生あるいはランダム再生のいずれか一方である、請求項２記載の情報記録再生装置。
【請求項４】
前記情報記録媒体は、ＣＤ（Compact Disc）である、請求項２記載の情報記録再生装置。
【請求項５】
前記制御部は、前記特殊再生をすることを求めるコマンド指示の入力を受けて前記情報記録媒体からＴＯＣ情報を取得する、請求項２記載の情報記録再生装置。
【発明の詳細な説明】
【技術分野】
【０００１】
本発明は、情報記録再生装置に関し、特に、ＣＤ（Compact Disc）およびＤＶＤ（Digital Versatile Disc）の光ディスクに対する情報の記録及び／又は再生を行なうことが可能なＣＤ／ＤＶＤコンパチブルの情報記録再生装置に関する。
【背景技術】
【０００２】
従来から、ＣＤやＤＶＤ等の同心円状又は渦巻状に情報記録トラックが形成された光ディスクに対し、光ピックアップと呼ばれる光ヘッドにより、情報の記録及び／又は再生を行なう情報記録再生装置がある。光ピックアップは、半導体レーザ等の光ビームを対物レンズにより光ディスク上に集光照射すると共に、光ディスク上に照射した光の反射光を受光してそれに応じた電気信号を出力する構成となっており、光ディスクの半径方向に移動するようになっている。
【０００３】
情報記録再生装置は、光ピックアップを光ディスク上の所定の位置へ移動させ、光ディスクを回転させながら、光ピックアップからの光を光ディスクの記録トラックに集光照射することで、光ディスクに対して情報の記録及び／又は再生を行なう。
【０００４】
光ディスクからの情報の再生にあたっては、まず、光ピックアップから照射する光の集光点が光ディスク面上に位置するようにフォーカスオン（フォーカス引き込み）させ、さらに、フォーカスオンさせた光が記録トラック上に位置するようにトラックオン（トラック引き込み）させる。これらフォーカスオン及びトラックオンは、光ピックアップから出力される電気信号に応じて、対物レンズを光ディスク面に垂直な方向及び記録トラックに垂直な方向に移動させることで行なわれる。そして、フォーカスオン及びトラックオンさせた状態で光ピックアップから出力される電気信号に基づいて、光ディスクに形成されているピットが検出され、これにより光ディスクから情報が読取られ、その情報が再生される。光ディスクへの情報の記録は、光ピックアップから光ディスク上に集光照射する光により、光ディスクの記録トラックにピットを形成することにより行なわれる。
【０００５】
上記は、情報記録再生装置の一般的な動作であるが、近年機能は多様化してきており、通常の記録／再生に限られず、たとえばランダム再生あるいはプログラム再生等の特殊再生の機能も付加した情報記録再生装置も可能となってきている（特許文献１および２参照）。
【特許文献１】特開２００１−１９５８７０号公報
【特許文献２】特開２００２−１９０１８７号公報
【発明の開示】
【発明が解決しようとする課題】
【０００６】
しかしながら、従来の情報記録再生装置は、通常の再生中にランダム再生あるいはプログラム再生のような特殊再生は実行することができず、一旦機器の動作を停止してからでなければランダム再生あるいはプログラム再生等の特殊再生を実行することができない構成が一般的であった。それゆえ、機器に与えられた機能を効率的に利用しておらず、ユーザにとって利便性に欠ける問題があった。
【０００７】
本発明は、上記に挙げられた問題点を解決するためになされたものであって、通常の再生中においても特殊再生を実行することができる情報記録再生装置を提供することを目的とする。
【課題を解決するための手段】
【０００８】
本発明に係る情報記録再生装置は、情報記録媒体に記憶されたデータを再生する再生手段と、装置全体を制御する制御部とを備える。制御部は、データを再生することを求めるコマンド指示に応答して再生手段を用いて情報記録媒体に記憶されたデータを再生し、再生中にデータを特殊再生することを求めるコマンド指示の入力がある場合には、再生の停止を求めるコマンド指示の入力無しに情報記録媒体に記憶されたデータを特殊再生に切換えて再生する。特殊再生は、プログラム再生あるいはランダム再生のいずれか一方である。情報記録媒体は、ＣＤ（Compact Disc）である。制御部は、特殊再生をすることを求めるコマンド指示の入力を受けて情報記録媒体からＴＯＣ情報を取得する。
【０００９】
本発明に係る情報記録再生装置は、情報記録媒体に記憶されたデータを再生する再生手段と、装置全体を制御する制御部とを備える。制御部は、データを再生することを求めるコマンド指示に応答して再生手段を用いて情報記録媒体に記憶されたデータを再生し、再生中にデータを特殊再生することを求めるコマンド指示の入力がある場合には、再生の停止を求めるコマンド指示の入力無しに情報記録媒体に記憶されたデータを特殊再生に切換えて再生する。
【００１０】
好ましくは、特殊再生は、プログラム再生あるいはランダム再生のいずれか一方である。
【００１１】
好ましくは、情報記録媒体は、ＣＤ（Compact Disc）である。
好ましくは、制御部は、特殊再生をすることを求めるコマンド指示の入力を受けて情報記録媒体からＴＯＣ情報を取得する。
【発明の効果】
【００１２】
本発明に係る情報記録再生装置は、再生中にデータを特殊再生することを求めるコマンド指示の入力がある場合には、再生の停止を求めるコマンド指示の入力無しに情報記録媒体に記憶されたデータを特殊再生に切換えて再生する。したがって、通常の再生中からランダム再生あるいはプログラム再生のような特殊再生に停止指示することなく、ランダム再生あるいはプログラム再生等の特殊再生を実行するため、機能を効率的に利用し、ユーザの利便性に供することができる。
【発明を実施するための最良の形態】
【００１３】
以下、本発明の実施の形態について図面を参照しながら詳細に説明する。なお、図中同一または相当部分には同一符号を付し、その説明は繰返さない。
【００１４】
図１は、本発明の実施の形態に従う情報記録再生装置の概略ブロック図である。
図１を参照して、情報記録再生装置１は、ＣＤおよびＤＶＤの同心円状又は渦巻状の情報記録トラックが形成された光ディスク７０に対して、音楽や映像等の情報の記録及び／又は再生を行なう。なお、本実施の形態に従う情報記録再生装置はＣＤおよびＤＶＤコンパチブルの記録／再生が可能な情報記録再生装置であるものとする。また、特に本発明の実施の形態に従う光ディスクに関しては、たとえば音楽情報が格納されたＣＤであるものとして以下に説明する。
【００１５】
情報記録再生装置１は、ディスク挿入検知部２と、スピンドルモータ３と、光ピックアップ４と、移動モータ５と、レーザ駆動部６と、信号処理部７と、データスライス信号生成部８と、サーボ制御部（フォーカシング制御部、トラッキング制御部）９とを備える。さらに、情報記録再生装置１は、映像・音声信号入出力部１０と、リモコン１１と、リモコン受信部１２と、表示部１３と、不揮発性メモリ１５と、上記各部を制御するための制御部２０とを備えている。
【００１６】
ディスク挿入検知部２は、光ディスクが不図示のディスク挿入部から挿入されてディスクトレイに載置されたことを検出し、その信号を制御部２０へ入力する。なお、挿入された光ディスク７０は、スピンドルモータ３に装着される。スピンドルモータ３は、制御部２０からの指示に従い回転駆動され、装着された光ディスク７０が所定速度で回転するように制御する。
【００１７】
光ピックアップ４は、光ディスク７０に対して情報の記録及び／又は再生を行なうための光を照射すると共に、光ディスク７０からの反射光を受光して電気信号に変換出力するものであり、制御部２０からの指示に基づきリニアモータから成る移動モータ５により光ディスク７０上でその半径方向に移動される。
【００１８】
この光ピックアップ４は、半導体レーザ４１から出射された光をコリメートレンズ４２、ビームスプリッタ４３および対物レンズ４４を介して光ディスク７０上に集光照射する。また、光ディスク７０上からの反射光を対物レンズ４４、ビームスプリッタ４３、及び集光レンズ４５を介して光検知器４６で受光する。
【００１９】
半導体レーザ４１は、制御部２０からの指示に応答して動作するレーザ駆動部６によりその発光が制御される。光検知器４６は、受光面が複数の領域に分割され、受光面毎に受光強度に応じた電気信号を出力する分割フォトダイオードから構成されており、光検知器４６からの出力信号は信号処理部７に入力される。
【００２０】
対物レンズ４４は、レンズホルダ４７に保持されており、レンズホルダ４７には、フォーカシングコイル４８と、トラッキングコイル４９が設けられている。フォーカシングコイル４８は、不図示の磁石との磁気作用により、対物レンズ４４を光ディスク７０のディスク面と垂直な方向へ移動させるものである。また、トラッキングコイル４９は、同様に、対物レンズ４４を光ディスク７０のディスク面と平行に光ディスク７０の記録トラックと垂直な方向へ移動させるものである。
【００２１】
信号処理部７は、光検知器４６からの出力信号に基づいて、ＲＦ信号（反射強度）を生成し、データスライス信号生成部８へ出力する。データスライス信号生成部８は、このＲＦ信号を２値化したデータスライス信号を生成し、制御部２０へ入力する。制御部２０では、このデータスライス信号に基づいて、光ディスク７０に形成されているピットを検出する。
【００２２】
また、信号処理部７は、光検知器４６からの出力信号に基づいて、フォーカスエラー信号及びトラックエラー信号を生成し、サーボ制御部９へ出力する。フォーカスエラー信号は、対物レンズ４４を介して光ディスク７０に照射する光の集光点の光ディスク面からのずれ量に対応する信号であり、トラックエラー信号は、集光点の記録トラックからのずれ量に対応する信号である。
【００２３】
サーボ制御部９は、これらフォーカスエラー信号及びトラックエラー信号に基づいて、フォーカシングコイル４８及びトラッキングコイル４９への電流供給を制御して対物レンズ４４を移動させ、それにより、集光点が光ディスク７０のディスク面上、かつ、記録トラック上に位置するようにサーボ制御する。
【００２４】
映像・音声信号入出力部１０には、不図示のディスプレイやスピーカ、テレビ受像機等の外部装置が接続され、光ディスク７０から再生した映像信号や音声信号の出力や、外部装置からの映像信号や音声信号の入力が行なわれる。
【００２５】
リモコン１１は、情報記録再生装置１の各種の動作を操作するためのものであり、各種の動作を操作するための操作キー（何れも不図示）を備えている。リモコン１１は、これらのキーの操作に応じて、対応する信号を赤外線信号で送出する。リモコン受信部１２は、リモコン１１から送出される赤外線信号を受信し、その信号を制御部２０へ出力する。表示部１３は、情報記録再生装置１本体のフロントパネルに設けられ、リモコン１１により操作された内容や情報記録再生装置１の動作状況等を表示する。
【００２６】
なお、制御部２０は、図示しないが各種動作の実行たとえば通常の再生動作を実行するための制御プログラムやランダム再生あるいはプログラム再生等の特殊再生を実行するための種々の制御プラグラム等が格納する記憶部を有しているものとする。
【００２７】
ここで、光ディスク７０に対する情報の記録／再生について説明する。まず、光ディスク７０からの情報の再生は、スピンドルモータ３により光ディスク７０を所定速度で回転させながら、半導体レーザ４１からの光を光ディスク７０に照射し、その反射光を光検知器４６で受光する。そして、サーボ制御部９により、信号処理部７からのフォーカスエラー号に基づいてフォーカシングコイル４８への電流供給を制御して対物レンズ４４を移動させ、半導体レーザ４１からの光の集光点が光ディスク７０面上に位置するようにフォーカスオン（フォーカス引き込み）させる。さらに、サーボ制御部９により、信号処理部７からのトラックエラー信号に基づいてトラッキングコイル４９への電流供給を制御して対物レンズ４４を移動させ、半導体レーザ４１からの光の集光点が所望の記録トラック上に位置するようにトラックオン（トラック引き込み）させる。
【００２８】
フォーカスオン及びトラックオンさせた後は、サーボ制御部９により、フォーカスエラー信号及びトラックエラー信号に基づいてフォーカシングコイル４８及びトラッキングコイル４９への電流供給を制御し、フォーカスオン状態及びトラックオン状態を維持するようにフォーカシングサーボ制御及びトラッキングサーボ制御が行なわれる。
【００２９】
そして、このサーボ状態で信号処理部７から出力されたＲＦ信号がデータスライス信号生成部８に入力され、データスライス信号生成部８によりＲＦ信号を２値化して生成されたデータスライス信号が制御部２０に入力される。制御部２０は、このデータスライス信号を基に光ディスク７０に形成されているピットの有無を検出して光ディスク７０に記録されている情報を読取り、読取った情報を映像信号や音声信号に再生して、映像・音声信号入出力部１０から外部装置へ出力する。
【００３０】
また、光ディスク７０への情報の記録は、同様に、フォーカシング及びトラッキングのサーボ状態で、半導体レーザ４１からの光により光ディスク７０上にピットを形成することにより行なわれる。このとき、映像・音声信号入出力部１０から入力された映像信号や音声信号が制御部２０により符号化され、半導体レーザ４１が、制御部２０による制御のもと、その符号化データに応じて発光制御される。これにより、その符号化データに応じたピットが光ディスク７０の記録トラックに形成され、映像や音声の情報が記録される。ピットの形成は、半導体レーザ４１を情報の読取り時よりも高出力で発光させることにより可能としている。
【００３１】
以下、本実施の形態においては、通常の再生中にランダム再生あるいはプログラム再生の特殊再生を実行する場合について説明する。なお、ランダム再生あるいはプログラム再生については一般的な技術であるのでその再生方式に関する詳細な説明は行なわない。
【００３２】
図２は、本発明の実施の形態に従う通常の再生中にランダム再生あるいはプログラム再生を実行する場合のフロー図である。
【００３３】
図２を参照して、ユーザからのコマンド指示に応答して通常のディスク再生が実行される（ステップＳ０）。次に、制御部２０は、プログラム再生あるいはランダム再生のコマンドが選択指示されたかどうかを判断する（ステップＳ１）。具体的には、リモコン１１を介してたとえば、図１に示されるランダム再生釦（ＲＡＭ）１１ａあるいはプログラム再生釦（ＰＧＭ）１１ｂが選択（押圧）されたかどうかを判断する。選択されない場合には、ステップＳ１を維持し通常の再生を実行しつづける。
【００３４】
次に、選択された場合には、光ディスク７０であるＣＤの管理情報として内周側に記憶されたリードイン領域のＴＯＣ（Table of Contents）情報を参照する（ステップＳ２）。これによりＣＤのデータ領域に格納されたデータの識別番号（トラック番号）を取得する。
【００３５】
次に、制御部２０は、記憶部に格納されたプログラム設定画面を表示部１３に表示する（ステップＳ３）。
【００３６】
そして、制御部２０は、ユーザがプログラム再生あるいはランダム再生設定の選択をするかどうかを判断する（ステップＳ４）。
【００３７】
図３は、プログラム設定画面を説明する図である。
図３（ａ）は、プログラム設定画面の一例としてランダム再生を実行するための選択画面を説明する図である。ここで示されているようにＴＯＣ情報を用いて画面の下欄にトラック番号が表示される。また、画面にはカーソルが示され、「ランダム再生を実行しますか」という問いに対して「はい」あるいは「いいえ」でその選択をユーザが画面を見ながら設定選択できるように表示される。
【００３８】
図３（ｂ）は、プログラム設定画面の一例としてプログラム再生を実行するための選択画面を説明する図である。ここで示されているようにＴＯＣ情報を用いて画面の下欄にトラック番号が表示される。また、画面には、１番目から６番目の順序でたとえばトラック番号の中から再生順序をユーザが設定選択した場合が示されている。１番目はトラック番号「４」、２番目はトラック番号「１」と選択した場合が表示されている。この選択は、たとえばリモコン１１に設けられた図示しない数字キーを入力することにより設定選択が可能であるものとする。そして、ユーザが設定した内容に対して「実行」あるいは「戻る」にカーソルキーを合わせて選択できるように表示される。
【００３９】
再び、図２のステップＳ４を参照して、たとえば図３（ａ），（ｂ）のプログラム設定画面において「実行」が選択された場合には、次のステップＳ５に進み、「実行」の選択指示に応じて通常の再生からプログラム再生あるいはランダム再生を実行する（ステップＳ５）。具体的には、通常ＣＤに音楽データが格納されている場合には、連続的に次のトラックへと昇順的にトラックが選択されて音楽データが再生されるが、本構成の場合には、プログラム再生あるいはランダム再生に切換える。たとえば、プログラム再生を実行した場合には、通常の再生を停止してユーザが自己のプログラムにより選択した順序で音楽データが再生されるようにプログラムにより設定されたトラック番号の再生を開始する。また、ランダム再生を実行した場合には、乱数表から選択されたランダムな値が選択されて、通常の再生を停止して選択されたランダムな値に従うトラック番号の再生を開始する。
【００４０】
一方、ステップＳ４において、プログラム再生あるいはランダム再生の設定の選択をしなかった場合には、ステップＳ１に戻る。
【００４１】
なお、このプログラム再生あるいはランダム再生は、ユーザからの停止指示が選択されることなく、図３で示されるようなランダム再生選択画面あるいはプログラム再生選択画面で選択された内容に従って制御部２０は上記特殊再生を実行する。
【００４２】
本発明の実施の形態に従う構成により、特殊再生機能が付加されている情報記録再生装置において、通常の再生中に特殊再生であるランダム再生あるいはプログラム再生を実行することができ、機器に与えられた機能を効率的に利用してユーザの利便性に供することができる。
【００４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４４】
【図１】本発明の実施の形態に従う情報記録再生装置の概略ブロック図である。
【図２】本発明の実施の形態に従う通常の再生中にランダム再生あるいはプログラム再生を実行する場合のフロー図である。
【図３】プログラム設定画面を説明する図である。
【符号の説明】
【００４５】
１  情報記録再生装置、２  ディスク挿入検知部、３  スピンドルモータ、４  光ピックアップ、５  移動モータ、６  レーザ駆動部、７  信号処理部、８  データスライス信号生成部、９  サーボ制御部、１０  映像・音声信号入出力部、１１  リモコン、１２  リモコン受信部、１３  表示部、２０  制御部。
【図１】
2007080457.tif 000003
【図２】
2007080457.tif 000004
【図３】
2007080457.tif 000005